(57)【要約】【課題】  デジタルカメラを用いて長時間の監視を行う。【解決手段】  デジタルカメラ１は、所定の監視対象を検出する焦電センサユニット３に接続されている。焦電センサユニット３は、ＡＣアダプタ３ａを介して電源から供給される電力を、デジタルカメラ１に供給する。デジタルカメラ１は、焦電センサユニット３から供給される電力によって動作し、焦電センサユニット３が監視対象を検出した場合に、監視対象を撮影する。【選択図】  図１
2005109884.tif 000002
【特許請求の範囲】
【請求項１】
所定の監視対象を検出するセンサと、
前記センサが監視対象を検出した場合に、該監視対象を撮影するデジタルカメラと、
から構成され、
前記センサは、電源に接続され、該電源から供給される電力を前記デジタルカメラに供給する電力供給手段を備え、
前記デジタルカメラは、前記センサから供給される電力により動作する、
ことを特徴とする監視システム。
【請求項２】
前記センサが監視対象を検出した場合に、該監視対象を検出したことを所定の通知先に通知する通知手段をさらに備える、ことを特徴とする請求項１に記載の監視システム。
【請求項３】
前記通知手段は、携帯電話機であり、
前記デジタルカメラは、前記携帯電話機に内蔵されている、
ことを特徴とする請求項２に記載の監視システム。
【請求項４】
前記センサは、前記携帯電話機を充電する充電器に備えられ、
前記携帯電話機は、前記充電器にセットされて使用される、
ことを特徴とする請求項３に記載の監視システム。
【請求項５】
前記通知手段は、前記デジタルカメラが撮影した画像を電子メールで所定の通知先に送信することにより、前記監視対象を検出したことを該所定の通知先に通知する、ことを特徴とする請求項２乃至４の何れか１項に記載の監視システム。
【請求項６】
前記センサが監視対象を検出した場合に、前記デジタルカメラに起動信号を出力する起動信号出力手段をさらに有する、
ことを特徴とする請求項１乃至５の何れか１項に記載の監視システム。
【請求項７】
前記センサが監視対象を検出した場合に、前記デジタルカメラに撮影信号を出力する、撮影信号出力手段をさらに有する、
ことを特徴とする請求項１乃至５の何れか１項に記載の監視システム。
【請求項８】
撮影を行う撮影手段と、
所定の監視対象を検出するセンサと、
前記センサが監視対象を検出した場合に、前記撮影手段へ電力を供給し、該撮影手段に前記監視対象を撮影させる制御手段と、
から構成されることを特徴とするデジタルカメラ。
【発明の詳細な説明】
【技術分野】
【０００１】
本発明は、監視システム及びデジタルカメラに関する。
【背景技術】
【０００２】
近年、デジタルカメラは、画素数の増加などによって、鮮明な画像を撮影することができるようになった。しかし、デジタルカメラの消費電力は大きく、連続駆動すると数時間で電池が消耗してしまう場合がある。このため、デジタルカメラを、長時間駆動が必要となるシステム等に使用することはできなかった。
【０００３】
カメラを長時間駆動するシステムとしては、例えば防犯システムがある。防犯システムでは、センサにより侵入者等を検出し、検出した侵入者等をカメラで撮影している（例えば、特許文献１参照。）。
【特許文献１】特開平１０−１６２２５６号公報（段落００１９〜００２０）
【発明の開示】
【発明が解決しようとする課題】
【０００４】
しかし、従来の防犯システムでは、長時間の連続駆動ができないデジタルカメラの使用については全く考慮されていない。このため、高画質の画像を撮影可能であったとしても、デジタルカメラを、防犯システムに使用することはできなかった。
【０００５】
従って、本発明は、デジタルカメラを用いて長時間の監視を実行可能な監視システムを提供することを目的とする。
【０００６】
また、本発明は、長時間の監視に使用可能なデジタルカメラを提供することを目的とする。
【課題を解決するための手段】
【０００７】
上記目的を達成するために、本発明の第１の観点にかかる監視システムは、所定の監視対象を検出するセンサと、前記センサが監視対象を検出した場合に、該監視対象を撮影するデジタルカメラと、から構成され、前記センサは、電源に接続され、該電源から供給される電力を前記デジタルカメラに供給する電力供給手段を備え、前記デジタルカメラは、前記センサから供給される電力により動作する、ことを特徴とする。
【０００８】
この発明によれば、デジタルカメラを用いて長時間の監視を行うことができる。
【０００９】
前記センサが監視対象を検出した場合に、該監視対象を検出したことを所定の通知先に通知する通知手段をさらに備えてもよい。
【００１０】
前記通知手段は、携帯電話機であってもよく、前記デジタルカメラは、前記携帯電話機に内蔵されていてもよい。
【００１１】
前記センサは、前記携帯電話機を充電する充電器に備えられてもよく、前記携帯電話機は、前記充電器にセットされて使用されてもよい。
【００１２】
前記通知手段は、前記デジタルカメラが撮影した画像を電子メールで所定の通知先に送信することにより、前記監視対象を検出したことを該所定の通知先に通知してもよい。
【００１３】
前記センサが監視対象を検出した場合に、前記デジタルカメラに起動信号を出力する起動信号出力手段をさらに有してもよい。
【００１４】
前記センサが監視対象を検出した場合に、前記デジタルカメラに撮影信号を出力する、撮影信号出力手段をさらに有してもよい。
【００１５】
本発明の第２の観点にかかるデジタルカメラは、撮影を行う撮影手段と、所定の監視対象を検出するセンサと、前記センサが監視対象を検出した場合に、前記撮影手段へ電力を供給し、該撮影手段に前記監視対象を撮影させる制御手段と、から構成されることを特徴とする。
【００１６】
この発明によれば、デジタルカメラを長時間の監視に使用することができる。
【００１７】
前記制御手段は、前記センサが監視対象を検出していない場合に、前記撮影手段への電力供給を停止してもよい。
【００１８】
前記デジタルカメラは、前記監視対象を検出したことを所定の通知先に通知する通知装置に接続されてもよく、前記センサが監視対象を検出した場合に、前記監視対象を検出したことの通知を、前記通知装置に指示する通知指示手段をさらに備えてもよい。
【００１９】
前記通知装置は、前記撮影手段が撮影した画像のデータを電子メールで所定の通知先に送信することにより、前記監視対象を検出したことを該所定の通知先に通知してもよい。
【００２０】
燃料電池をさらに備え、該燃料電池が供給する電力によって動作してもよい。
【発明の効果】
【００２１】
本発明によれば、デジタルカメラを用いて長時間の監視を実行することが可能になる。
【発明を実施するための最良の形態】
【００２２】
（実施形態１）
次に、本発明の第１の実施の形態にかかるセキュリティシステムについて図面を参照して説明する。
【００２３】
第１の実施の形態にかかるセキュリティシステムは、家庭やオフィス等に設置され、不審者の侵入等を検出し、家庭の住人、オフィスのセキュリティ担当者、及び／又は、警備会社などに、不審者の侵入等を通知する。
【００２４】
上記セキュリティシステムは、図１に示すように、デジタル（スチル）カメラ１と、携帯電話機２と、焦電センサユニット３と、から構成されている。
デジタルカメラ１、携帯電話機２、及び、焦電センサユニット３は、例えばＵＳＢ（Universal Serial Bus）ケーブル用の端子又はIEEE1394規格のケーブル用端子を備えており、デジタルカメラ１及び携帯電話機２は、これらから選択されたケーブルにより、焦電センサユニット３に接続されている。
【００２５】
デジタルカメラ１は、建物に侵入しようとする不審者等を撮影するために、建物の入り口や窓などの近くに配置される。デジタルカメラ１は、ＣＰＵ（Central Processing Unit）と、ＲＡＭ（Random Access Memory）、ＲＯＭ（Read Only Memory）及びＦ−ＲＯＭ（Flash ROM）等のメモリと、ＣＣＤ（Charge Coupled Device）、対物レンズ及びレンズ駆動機構等の撮像光学系ユニットと、から構成され、焦電センサユニット３から供給される電力により動作する。
【００２６】
デジタルカメラ１のメモリは、デジタルカメラ１を動作させるためのプログラムや、撮影により得られた画像のデータ等を記憶する。デジタルカメラ１のＣＰＵは、メモリのプログラムに従って動作し、焦電センサユニット３から供給される撮影指示に応答して撮像光学系ユニットを制御して撮影を行う。そして、ＣＰＵは、撮影によって得た画像データをメモリに格納すると共に、焦電センサユニット３に出力する。
【００２７】
携帯電話機２は、ＣＰＵ、メモリ、及び、無線通信モジュール等から構成され、不審者の侵入行為等を、建物の住人、所有者、管理人、オフィスのセキュリティ担当者、及び／又は、警備会社などに通知するために設けられている。携帯電話機２は、リチウムイオン電池などから構成される電池パックを備え、電池パックから供給される電力により動作する。
【００２８】
携帯電話機２のメモリは、携帯電話機２を動作させるためのプログラム、及び、不審者の侵入行為等を通知する通知先（例えば、家庭の住人、オフィスのセキュリティ担当者、及び／又は、警備会社など）の電子メールアドレスを予め記憶している。携帯電話機２のＣＰＵは、メモリのプログラムに従って動作し、焦電センサユニット３からの通知指示に応答して無線通信モジュール等を制御し、メモリに格納されている電子メールアドレスに、不審者の侵入行為等を検出したことを示す電子メールを、電話回線網やインターネット等の通信ネットワークを介して送信する。
【００２９】
焦電センサユニット３は、建物や敷地内に侵入しようとする不審者等を検出するために、建物の入り口や、ドア、窓などの近くに配置される。焦電センサユニット３は、家庭やオフィス等の商用電源に接続されるＡＣ（Alternating Current）アダプタ３ａを備え、ＡＣアダプタ３ａを介して供給される電力により動作する。
【００３０】
焦電センサユニット３は、図２に示すように、電源回路１１と、デジカメＩ／Ｆ１２と、携帯電話Ｉ／Ｆ１３と、焦電センサ１４と、ドライバ１５と、ＡＭＰ処理回路１６と、ＲＡＭ１７と、ＲＯＭ１８と、ＣＰＵ１９と、から構成されている。図示するように、電源回路１１、デジカメＩ／Ｆ１２、携帯電話Ｉ／Ｆ１３、ドライバ１５、ＡＭＰ処理回路１６、ＲＡＭ１７、ＲＯＭ１８、及び、ＣＰＵ１９は、バス１０を介して、互いに接続されている。
【００３１】
電源回路１１は、ＡＣアダプタ３ａを介して電源に接続される。電源回路１１は、電圧変換等の処理を行い、ＡＣアダプタ３ａを介して供給される電源電圧の大きさ等を調整する。
【００３２】
デジカメＩ／Ｆ１２は、ＵＳＢケーブル用又はIEEE1394規格のケーブル用のコネクタ等を備え、デジタルカメラ１に接続される。デジカメＩ／Ｆ１２は、電源回路１１を介して供給される電力をデジタルカメラ１に供給すると共に、ＣＰＵ１９の制御に従って、ＣＰＵ１９からの起動信号や撮影信号を停止しているデジタルカメラ１に出力したり、デジタルカメラ１から供給される画像データを受信したりする。
【００３３】
携帯電話Ｉ／Ｆ１３は、ＵＳＢケーブル用のコネクタ等を備え、携帯電話機２に接続される。携帯電話Ｉ／Ｆ１３は、ＣＰＵ１９の制御に従って、ＣＰＵ１９からの通知信号を携帯電話機２に出力したり、携帯電話機２から供給されるデータを受信したりする。
【００３４】
ドライバ１５は、焦電センサ１４を駆動する駆動信号を出力する。焦電センサ１４は、ドライバ１５の駆動信号に基づいてセンサ前方の赤外線を検出し、検出した赤外線の変化を電気信号に変換してＡＭＰ処理回路１６に出力する。
【００３５】
ＡＭＰ処理回路１６は、焦電センサ１４から供給される電気信号を所定の倍率で増幅し、増幅した信号に所定の信号処理を施す。例えば、ＡＭＰ処理回路１６は、自然にある人体以外から発せられた赤外線による信号と、人などが放射する赤外線による信号とを分離する。そして、ＡＭＰ処理回路１６は、所定の信号処理を施した信号をＣＰＵ１９に供給する。
【００３６】
ＲＡＭ１７は、デジタルカメラ１及び携帯電話機２から供給されるデータ等を記憶し、また、ＣＰＵ１９の作業領域として用いられる。
ＲＯＭ１８は、焦電センサユニット３を動作させるためのプログラムを記憶している。
【００３７】
ＣＰＵ１９は、ＲＯＭ１８に格納されているプログラムに従って、焦電センサユニット３の動作を制御すると共に、デジタルカメラ１及び携帯電話機２の動作も制御する。なお、ＣＰＵ１９の詳しい動作については後述する。
【００３８】
次に、以上のように構成されるセキュリティシステムの動作について説明する。
上記したように、焦電センサユニット３は、建物の入り口や窓などの近傍で人が通過する可能性のある空間での人体が通過することによる赤外線の変化を検知するセンサであるので、通過する可能性のある空間近傍に焦電センサ１４を向けるように配置され、デジタルカメラ１は、焦電センサユニット３により所定の空間を人が通過したことが検出されることによって起動し、起動の間に通過した人が移動する位置を想定してその位置を含む空間を撮影可能な位置に配置されている。
【００３９】
焦電センサユニット３は、ＡＣアダプタ３ａを介して供給される電力により動作し、図３に示す監視処理を行う。また、デジタルカメラ１は、焦電センサユニット３から供給される電力により動作している。また、携帯電話機２は、不審者の侵入行為等を検出してない状態では、消費電力が低い待機モードに設定される。
【００４０】
焦電センサユニット３の焦電センサ１４は、センサ前方の赤外線を検出し、電気信号に変換してＡＭＰ処理回路１６に出力する。
ＡＭＰ処理回路１６は、焦電センサ１４から供給される信号を所定の増幅率で増幅し、増幅した信号に所定の信号処理を施す。例えば、ＡＭＰ処理回路１６は、自然にある人体以外から発せられた赤外線による信号と、人などが放射する赤外線による信号とを分離する。
【００４１】
そして、ＡＭＰ処理回路１６は、所定の信号処理を施した信号をＣＰＵ１９に供給する。
ＣＰＵ１９は、ＡＭＰ処理回路１６から供給される信号を用いて不審者の侵入行為等があるか否かを判別する（ステップＳ１０１）。例えば、ＣＰＵ１９は、供給される信号に、人などが放射する赤外線による信号が含まれているか否かを判別することにより、不審者の侵入行為等があるか否かを判別する。
【００４２】
人などによる信号が含まれていないと判別した場合、即ち、不審者の侵入行為等はないと判別した場合（ステップＳ１０１；ＮＯ）、ＣＰＵ１９は、ステップＳ１０１にリターンする。
【００４３】
一方、人などによる信号が含まれていると判別した場合、即ち、不審者の侵入行為等があったと判別した場合（ステップＳ１０１；ＹＥＳ）、ＣＰＵ１９は、デジタルカメラ１を起動するための起動信号及び所定のタイミングで撮影を指示する撮影信号を、デジカメＩ／Ｆ１２を介して、デジタルカメラ１に出力する（ステップＳ１０２）。
【００４４】
デジタルカメラ１のＣＰＵは、焦電センサユニット３のＣＰＵ１９から供給される撮影信号に応答し、撮像光学系ユニットを制御して撮影を行う。デジタルカメラ１は単数の画像を撮影してもよいし、所定のタイミングで複数の画像を撮影してもよい。また撮影する空間が暗い場合は、赤外線波長域に感度のある撮影にして不審者に気づかれないように撮影するか、或いは不審者が侵入の継続する意思をなくすようにフラッシュを発光させて撮影することによって不審者を威嚇してもよい。これにより、不審者等がいた場合には、不審者等を撮影することができる。そして、デジタルカメラ１のＣＰＵは、撮影によって得た画像データ及び撮影時刻データを焦電センサユニット３に出力する。デジタルカメラ１はデータ出力終了後に内部電池で動作する時計機能等を除いて撮影に要する動作を全て停止する。
【００４５】
焦電センサユニット３のＣＰＵ１９は、デジタルカメラ１から供給される画像データを受信すると、供給された画像データをＲＡＭ１７に格納し、引き続きデジタルカメラ１を動作するための電力のデジタルカメラ１への供給を停止する（ステップＳ１０３）。
【００４６】
続いて、ＣＰＵ１９は、不審者を検出したことの通知を指示する通知信号を、ＲＡＭ１７に格納した画像データと共に、携帯電話Ｉ／Ｆ１３を介して、携帯電話機２に送信する（ステップＳ１０４）。
【００４７】
携帯電話機２は、焦電センサユニット３のＣＰＵ１９から供給される画像データ及び通知信号に応答して待機モードから通信モードに移る。そして、携帯電話機２のＣＰＵは、メモリに格納されている通知先の電子メールアドレスを読み出す。
【００４８】
携帯電話機２のＣＰＵは、無線通信モジュール等を制御し、読み出した電子メールアドレスに、供給された画像データを添付した不審者の侵入行為があった旨の電子メールを送信する。これにより、携帯電話機２に予め登録されている通知先に、不審者の侵入行為等を検出したことを示す電子メールが送信される。送信後、携帯電話機２は、通信モードから待機モードに移る。
【００４９】
焦電センサユニット３のＣＰＵ１９は、ステップＳ１０４で通知信号を出力した後、ステップＳ１０１にリターンし、不審者等の監視を継続する。
【００５０】
以上のように、デジタルカメラ１は、焦電センサユニット３から供給される電力によってデジタルカメラ１の起動時から撮影したデータのデジタルカメラ１の出力までの間、動作し、それ以外の期間は焦電センサユニット３からの電力によって動作しないので、小さい消費電力でデジタルカメラ１及び焦電センサユニット３を用いた長時間の監視を行うことができる。また、デジタルカメラ１、携帯電話機２、及び、焦電センサユニット３からセキュリティシステムを構成するので、安価で小型なセキュリティシステムを容易に実現できる。
【００５１】
（実施形態２）
次に、本発明の第２の実施の形態にかかるセキュリティシステムについて図面を参照して説明する。
第２の実施の形態では、図４に示すように、第１の実施の形態で示した焦電センサユニット３が、デジタルカメラ１に内蔵されている。
【００５２】
図５は、第２の実施の形態における、デジタルカメラ１の構成を示す図である。
デジタルカメラ１は、図５に示すように、電源回路２１と、携帯電話Ｉ／Ｆ２２と、焦電センサ２３と、ドライバ２４と、ＡＭＰ処理回路２５と、光学系ユニット２６と、撮像系ユニット２７と、Ｆ−ＲＯＭ２８と、信号処理ＬＳＩ（Large Scale Integration）２９と、ＲＡＭ３０と、ＲＯＭ３１と、ＣＰＵ３２と、から構成されている。
【００５３】
図示するように、電源回路２１、携帯電話Ｉ／Ｆ２２、ドライバ２４、ＡＭＰ処理回路２５、光学系ユニット２６、撮像系ユニット２７、Ｆ−ＲＯＭ２８、信号処理ＬＳＩ２９、ＲＡＭ３０、ＲＯＭ３１、及び、ＣＰＵ３２は、バス２０を介して、互いに接続されている。
【００５４】
また、上記構成要素のうち、電源回路２１、光学系ユニット２６、撮像系ユニット２７、Ｆ−ＲＯＭ２８、信号処理ＬＳＩ２９、ＲＡＭ３０、ＲＯＭ３１、及び、ＣＰＵ３２は、撮影等を行うためのデジカメ部１ａに分類され、焦電センサ２３、ドライバ２４、及び、ＡＭＰ処理回路２５は、建物に侵入しようとする不審者等を検出するためのセンサ部１ｂに分類される。
【００５５】
後述するように、不審者の侵入行為等を検出していない場合、即ち、撮影を行わない場合は、デジカメ部１ａは、待機モードに設定され、不審者の侵入行為等が検出された場合にのみ撮影モードに設定されて動作する。これにより、消費電力が大きいデジカメ部１ａでの電力消費を最小限に抑えることができる。
【００５６】
電源回路２１は、デジタルカメラ１にセットされた電池パック等に接続される。電源回路２１は、電圧変換等の処理を行い、電池パック等から供給される電源電圧の大きさ等を調整する。
【００５７】
携帯電話Ｉ／Ｆ２２は、第１の実施の形態と同様に、ＵＳＢケーブル用のコネクタ等を備え、携帯電話機２に接続される。携帯電話Ｉ／Ｆ２２は、ＣＰＵ３２の制御に従って、ＣＰＵ３２からの通知信号を携帯電話機２に出力したり、携帯電話機２から供給されるデータを受信したりする。
【００５８】
ドライバ２４は、第１の実施の形態と同様に、焦電センサ２３を駆動し、センサ前方の赤外線を検出する。焦電センサ２３は、検出した赤外線を電気信号に変換してＡＭＰ処理回路２５に出力する。
【００５９】
ＡＭＰ処理回路２５は、第１の実施の形態と同様に、焦電センサ２３から供給される電気信号を所定の倍率で増幅し、増幅した信号に所定の信号処理を施す。そして、ＡＭＰ処理回路２５は、所定の信号処理を施した信号をＣＰＵ３２に供給する。
【００６０】
光学系ユニット２６は、対物レンズやレンズ駆動機構等から構成され、ＣＰＵ３２の制御に従って、対物レンズ等を駆動し、焦点の調整等を行う。
撮像系ユニット２７は、ＣＣＤ等から構成され、ＣＰＵ３２の制御に従って、ＣＣＤに入射する光を電気信号に変換する。
以上の光学系ユニット２６及び撮像系ユニット２７によって撮影が行われる。
【００６１】
Ｆ−ＲＯＭ２８は、光学系ユニット２６及び撮像系ユニット２７が行う撮影によって得られた画像のデータを記憶する。
信号処理ＬＳＩ２９は、ＣＰＵ３２の制御に従って、撮影によって得られた画像データに所定のデータ処理を施す。例えば、画像データのフォーマット変換や圧縮等を行う。そして、信号処理ＬＳＩ２９は、所定のデータ処理を施した画像データをＦ−ＲＯＭ２８に格納する。
【００６２】
ＲＡＭ３０は、ＣＰＵ３２の作業領域として用いられる。
ＲＯＭ３１は、デジタルカメラ１を動作させるためのプログラムを記憶している。
【００６３】
ＣＰＵ３２は、ＲＯＭ３１に格納されているプログラムに従って動作する。例えば、ＣＰＵ３２は、ＡＭＰ処理回路２５から供給される信号を用いて、不審者の侵入行為等を検出する。
【００６４】
ＣＰＵ３２は、例えば、ＡＭＰ処理回路２５からの信号に、人などが放射する赤外線による信号が含まれているか否かを判別することにより、不審者の侵入行為等があるか否かを判別する。そして、不審者の侵入行為等がないと判別した場合は、ＣＰＵ３２は、デジカメ部１ａを待機モードに設定する。
【００６５】
具体的には、ＣＰＵ３２は、不審者の検出に必要でない部分（光学系ユニット２６、撮像系ユニット２７、及び、信号処理ＬＳＩ２９など）への電力供給を停止する。そして、ＣＰＵ３２は、低クロックでセンサー部１ｂを動作させる。
【００６６】
一方、不審者の侵入行為等があると判別した場合、ＣＰＵ３２は、デジカメ部１ａの各部へ電力を供給して、デジカメ部１ａを撮影モードに設定し、不審者等の撮影を行う。
【００６７】
次に、以上のように構成されるセキュリティシステムの動作について説明する。
第１の実施の形態と同様に、焦電センサ２３を内蔵したデジタルカメラ１は、建物の入り口や窓の近傍に配置されている。
【００６８】
ＣＰＵ３２は、センサ部１ｂを制御して、図６に示す監視処理を行う。なお、監視処理の開始時には、ＣＰＵ３２は、デジカメ部１ａを待機モードに設定している。そして、ＣＰＵ３２は、低クロックでセンサ部１ｂを動作させる。
【００６９】
センサ部１ｂのドライバ２４は、第１の実施の形態と同様に、焦電センサ２３を駆動し、センサ前方の赤外線を検出する。焦電センサ２３は、検出した赤外線を電気信号に変換してＡＭＰ処理回路２５に出力する。
【００７０】
ＡＭＰ処理回路２５は、第１の実施の形態と同様に、焦電センサ２３から供給される信号を所定の増幅率で増幅し、増幅した信号に所定の信号処理を施す。
そして、ＡＭＰ処理回路２５は、所定の信号処理を施した信号をＣＰＵ３２に供給する。
【００７１】
ＣＰＵ３２は、ＡＭＰ処理回路２５から供給される信号を用いて、例えば人などが放射する赤外線による信号が含まれているか否かを判別することにより、不審者の侵入行為等があるか否かを判別する（ステップＳ２０１）。
【００７２】
人などによる信号が含まれていないと判別した場合、即ち、不審者の侵入行為等はないと判別した場合（ステップＳ２０１；ＮＯ）、ＣＰＵ３２は、ステップＳ２０１にリターンする。
【００７３】
一方、人などによる信号が含まれていると判別した場合、即ち、不審者の侵入行為等があったと判別した場合（ステップＳ２０１；ＹＥＳ）、ＣＰＵ３２は、デジカメ部１ａの各部に電力を供給し、デジカメ部１ａを撮影モードに設定する（ステップＳ２０２）。
【００７４】
続いて、ＣＰＵ３２は、光学系ユニット２６及び撮像系ユニット２７を制御して撮影を行う（ステップＳ２０３）。これにより、不審者等を撮影することができる。
【００７５】
その後、ＣＰＵ３２は、信号処理ＬＳＩ２９を制御して、撮影によって得た画像データに所定のデータ処理を施し、Ｆ−ＲＯＭ２８に格納する（ステップＳ２０４）。
【００７６】
そして、ＣＰＵ３２は、不審者を検出したことの通知を指示する通知信号を、Ｆ−ＲＯＭ２８に格納した画像データと共に、携帯電話Ｉ／Ｆ２２を介して、携帯電話機２に送信する（ステップＳ２０５）。
【００７７】
携帯電話機２は、第１の実施の形態と同様に、ＣＰＵ３２から供給される画像データ及び通知信号に応答して待機モードから通信モードに移る。そして、携帯電話機２のＣＰＵは、メモリに格納されている通知先の電子メールアドレスを読み出す。
【００７８】
携帯電話機２のＣＰＵは、無線通信モジュール等を制御し、読み出した電子メールアドレスに、供給された画像データを添付した電子メールを送信する。これにより、携帯電話機２に予め登録されている通知先に、不審者の侵入行為等を検出したことを示す電子メールが送信される。
【００７９】
デジタルカメラ１のＣＰＵ３２は、通知信号を出力した後、デジカメ部１ａの、不審者の検出に必要ない部分への電力供給を停止し、デジカメ部１ａを待機モードに設定する（ステップＳ２０６）。
【００８０】
そして、ＣＰＵ３２は、ステップＳ２０１にリターンし、不審者の監視を継続する。
【００８１】
以上のように、撮影が必要でない時にはデジカメ部１ａの各部への電力供給を停止し、撮影が必要となった場合にのみデジカメ部１ａの各部へ電力を供給して動作させるので、デジカメ部１ａでの電力消費を最小限に抑えることができる。その結果、デジタルカメラ１を用いた長時間の監視が可能となる。また、デジタルカメラ１に焦電センサ２３を組み込むことによって、より小型なセキュリティシステムを実現することができる。
【００８２】
（実施形態３）
次に、本発明の第３の実施の形態にかかるセキュリティシステムについて図面を参照して説明する。
【００８３】
図７は、第３の実施の形態にかかるセキュリティシステムの構成図である。
第３の実施の形態では、携帯電話機２として、デジタルカメラ付きの携帯電話機が用いられる。また、第１の実施の形態で示した焦電センサユニット３は、携帯電話機２を充電するためのクレードル４に内蔵されている。
【００８４】
携帯電話機２は、建物に侵入しようとする不審者等を撮影するために、建物の入り口や窓などの近くに配置されたクレードル４にセットされる。携帯電話機２は、ＣＰＵと、ＲＡＭ、ＲＯＭ及びＦ−ＲＯＭ等のメモリと、ＣＣＤ、対物レンズ及びレンズ駆動機構等の撮像光学系ユニットと、無線通信モジュールと、から構成される。
【００８５】
携帯電話機２のメモリは、携帯電話機２を動作させるためのプログラムや、撮影により得られた画像データ、不審者の侵入行為等を通知する通知先の電子メールアドレス等を記憶する。
【００８６】
携帯電話機２のＣＰＵは、メモリのプログラムに従って動作し、クレードル４から供給される撮影指示に応答して撮像光学系ユニットを制御して撮影を行う。そして、ＣＰＵは、撮影によって得た画像のデータをメモリに格納する。また、ＣＰＵは、無線通信モジュール等を制御し、メモリに格納されている電子メールアドレスに、画像データを添付した電子メールを送信する。
【００８７】
クレードル４は、不審者の侵入行為等を検出する焦電センサとして機能し、建物に侵入しようとする不審者等を検出するために、建物の入り口や窓などの近傍に配置される。クレードル４は、家庭やオフィス等の商用電源に接続されるＡＣアダプタ４ａを備え、ＡＣアダプタ４ａを介して供給される電力により動作する。また、クレードル４は、ＡＣアダプタ４ａを介して供給される電力を携帯電話機２に供給して充電を行う。
【００８８】
クレードル４は、図８に示すように、電源回路４１と、携帯電話Ｉ／Ｆ４２と、焦電センサ４３と、ドライバ４４と、ＡＭＰ処理回路４５と、ＲＡＭ４６と、ＲＯＭ４７と、ＣＰＵ４８と、から構成されている。
【００８９】
図示するように、電源回路４１、携帯電話Ｉ／Ｆ４２、ドライバ４４、ＡＭＰ処理回路４５、ＲＡＭ４６、ＲＯＭ４７、及び、ＣＰＵ４８は、バス４０を介して、互いに接続されている。
なお、クレードル４を構成する各部は、第１の実施の形態で示した同一名称のものと実質的に同一である。
【００９０】
次に、以上のように構成されるセキュリティシステムの動作について説明する。
クレードル４は、ＡＣアダプタ４ａを介して供給される電力により動作し、図９に示す監視処理を行う。また、携帯電話機２は、クレードル４にセットされ、クレードル４を介して供給される電力によって動作する。
【００９１】
クレードル４のドライバ４４は、第１及び第２の実施の形態と同様に、焦電センサ４３を駆動し、センサ前方の赤外線の変化を検出する。焦電センサ４３は、検出した赤外線を電気信号に変換してＡＭＰ処理回路４５に出力する。
【００９２】
ＡＭＰ処理回路４５は、第１及び第２の実施の形態と同様に、焦電センサ４３から供給される信号を所定の増幅率で増幅し、増幅した信号に所定の信号処理を施す。
そして、ＡＭＰ処理回路４５は、所定の信号処理を施した信号をＣＰＵ４８に供給する。
【００９３】
ＣＰＵ４８は、第１及び第２の実施の形態と同様に、例えばＡＭＰ処理回路４５からの信号に人などが放射する赤外線による信号が含まれているか否かを判別することにより、不審者の侵入行為等があるか否かを判別する。（ステップＳ３０１）。
【００９４】
人などによる信号が含まれていないと判別した場合、即ち、不審者の侵入行為等はないと判別した場合（ステップＳ３０１；ＮＯ）、ＣＰＵ４８は、ステップＳ３０１にリターンする。
【００９５】
一方、人などによる信号が含まれていると判別した場合、即ち、不審者の侵入行為等があったと判別した場合（ステップＳ３０１；ＹＥＳ）、ＣＰＵ４８は、撮影を指示する撮影信号を、携帯電話Ｉ／Ｆ４２を介して、携帯電話機２に出力する（ステップＳ３０２）。
【００９６】
携帯電話機２のＣＰＵは、クレードル４のＣＰＵ４８から供給される撮影信号に応答し、撮像光学系ユニットを制御して撮影を行う。これにより、不審者等がいた場合には、不審者等を撮影することができる。
【００９７】
そして、携帯電話機２のＣＰＵは、撮影によって得た画像のデータをメモリに格納する。
続いて、携帯電話機２のＣＰＵは、メモリに格納されている通知先の電子メールアドレスを読み出す。
【００９８】
そして、携帯電話機２のＣＰＵは、無線通信モジュール等を制御し、読み出した電子メールアドレスに、撮影によって得た画像データを添付した電子メールを送信する。これにより、携帯電話機２に予め登録されている通知先に、不審者の侵入行為等を検出したことを示す電子メールが送信される。
【００９９】
クレードル４のＣＰＵ４８は、ステップＳ３０２で撮影信号を出力した後、ステップＳ３０１にリターンし、不審者等の監視を継続する。
【０１００】
以上のように、携帯電話機２は、クレードル４にセットされているので、電池切れの心配がなく、長時間に渡って監視を行うことができる。また、監視を行っている場合でも、携帯電話機２を充電しているだけのように見えるため、侵入者に警戒されにくく、破壊されにくい。さらに、携帯電話機２にデジタルカメラが組み込まれ、携帯電話機２はクレードル４にセットされるので、第１及び第２の実施の形態よりもさらに小型のセキュリティシステムを実現することができる。
【０１０１】
なお、第２の実施の形態で示したデジタルカメラ１、及び、第３の実施の形態で示した携帯電話機２は、リチウムイオン電池などの通常の電池パックよりも寿命の長い燃料電池を備え、燃料電池からの電力によって動作してもよい。また、第１の実施の形態で示した焦電センサユニット３及び第３の実施の形態で示したクレードル４は、それぞれＡＣアダプタ３ａ、ＡＣアダプタ４ａを介して外部電力によって動作していたが、内部に燃料電池を備えることによって電源を確保してもよい。
【０１０２】
燃料電池システムは、例えば、メタノール（CH3OH）を燃料として用い、図１０に示すように、燃料貯蔵部５１と、気化部５２と、燃焼部５３と、改質部５４と、ＣＯ除去部５５と、燃料電池からなる発電部５６と、から構成される。
【０１０３】
燃料貯蔵部５１は、燃料電池の燃料（例えばメタノール）を貯蔵している。燃料貯蔵部５１に蓄えられている燃料は、気化部５２及び燃焼部５３にそれぞれ供給される。
【０１０４】
気化部５２は、燃料貯蔵部５１から供給される燃料を気化するために設けられている。気化部５２で気化した燃料は、改質部５４に供給される。
燃焼部５３は、燃料貯蔵部５１から供給される燃料を酸素と反応させることにより、気化部５２、改質部５４、後述するＣＯ除去部５５での各反応に必要な熱量を生成する。
【０１０５】
改質部５４は、気化部５２から供給される気化した燃料と、燃焼部５３で生成された水とを反応させ、発電に必要な水素（H2）を発生させる。この際、水素と共に二酸化炭素（CO2）が発生するが、同時に、一酸化炭素（CO）が僅かに発生する場合がある。
【０１０６】
ＣＯ除去部５５は、改質部５４から供給される水素及び二酸化炭素に含まれる一酸化炭素を、酸素又は水と反応させることにより、二酸化炭素に変換する。これにより、供給された水素及び二酸化炭素に含まれている、有害な一酸化炭素が除去される。
【０１０７】
発電部５６は、ＣＯ除去部５５から供給される水素を水素イオン（H+）と電子（e-）に分離する。この分離によって得られる電子がデジタルカメラ１又は携帯電話機２に供給され、デジタルカメラ１又は携帯電話機２が動作する。発電部５６は、具体的には、図１１に示すように、カソード６１と、イオン導電膜６２と、アノード６３と、から構成される。
【０１０８】
カソード６１には、ＣＯ除去部５５から水素が供給され、供給された水素は、触媒反応により水素イオン（H+）と電子（e-）とに分離される。そして、水素イオンは、イオン導電膜６２を透過してアノード６３に供給され、電子は、デジタルカメラ１又は携帯電話機２の本体を経由してアノード６３に供給される。これにより、デジタルカメラ１又は携帯電話機２が動作する。
【０１０９】
また、アノード６３には、酸素（O2）が供給されている。そして、イオン導電膜６２を透過した水素イオンと、デジタルカメラ１又は携帯電話機２を経由して供給される電子と、酸素と、が反応して、副生成物である水（H2O）が生成される。
【０１１０】
以上のような構成を有する燃料電池は、通常の電池パックよりも寿命が長いため、長期間、電池を取り替える必要がなくなる。即ち、以上のような燃料電池を備えるデジタルカメラ１又は携帯電話機２を使用することにより、長時間の監視が可能となる。また、長期間、電池を取り替える必要がなくなるので、廃棄物の増加を抑えることができる。さらに、燃料電池から排出されるのは水と二酸化炭素であるので、発電によって環境が破壊されることはなく、環境への影響を最小限に抑えることができる。
【０１１１】
また、第１乃至第３の実施の形態では、焦電センサ１４，２３，４３及びデジタルカメラ１が１つずつ設けられる場合を示したが、焦電センサ及びデジタルカメラは、複数設けられてもよい。
【０１１２】
また、第１乃至第３の実施の形態において、デジタルカメラが動画撮影機能を有していれば動画撮影にしてもよく、デジタルカメラの代わりにデジタルビデオカメラを用いることも可能である。この場合は、動画を撮影しこの動画像が電子メールで送信される。動画像のデータが重すぎて送信に時間がかかる場合は、まず先に不審者があった旨の電子メールを送信し、次いで動画像を添付した電子メールを送信してもよい。
【０１１３】
また、第１の実施の形態では焦電センサユニット３が、第３の実施の形態ではクレードル４が商用電源に接続される場合を例として示したが、焦電センサユニット３及びクレードル４は、他の電源に接続されてもよい。例えば、家庭やオフィス等に設置されている発電機等に接続されてもよい。このようにすれば、停電等が発生しても、監視を継続することができる。
【０１１４】
また、以上では、デジタルカメラ１、携帯電話機２、焦電センサユニット３、及び、クレードル４が、ケーブルによって接続される場合を示したが、これらは無線によって接続されてもよい。この場合、デジタルカメラ１及び携帯電話機２は焦電センサユニット３からの侵入等の検出信号に基づいてそれぞれの内部バッテリによって起動から停止までの電力をまかなうように設定されている。
【０１１５】
また、第１乃至第３の実施の形態では、携帯電話機２を用いて電子メールで不審者の侵入行為を通知する場合を示した。しかし、パーソナルコンピュータやＰＤＡ（Personal Digital Assistant）などの通信端末を、携帯電話機２の代わりに用いてもよい。
【０１１６】
また、以上では焦電センサを用いたが、人の存在を検出することができれば他のセンサを用いてもよい。例えば、赤外線センサ、超音波センサ等を用いてもよい。
【０１１７】
また、以上では、監視対象として不審者を例にとって説明したが、本発明は、老人、病人、子供、ペットなどの監視や、動物、鳥などの自動撮影及び夜間撮影などにも適用することができる。
【０１１８】
また、本発明の装置は、専用の装置を用いる必要はなく、人を検知するセンサ及び撮影を行うデジタルカメラを備えるコンピュータにより実現することができる。例えば、コンピュータに上記した各処理を実行させるためのプログラム及びデータを記録媒体（ＦＤ、ＣＤ−ＲＯＭ、ＤＶＤ、及び、半導体メモリ等）に記録して配布し、これをインストールしてＯＳ上で実行することにより、この発明の装置を実現できる。また、上記プログラム及びデータは、インターネット上のサーバ装置が有するディスク装置等に格納しておき、コンピュータに、例えば搬送波に重畳してダウンロード等するものとしてもよい。
【図面の簡単な説明】
【０１１９】
【図１】第１の実施の形態にかかるセキュリティシステムの構成図である。
【図２】図１のセキュリティシステムを構成する焦電センサユニットの構成図である。
【図３】図２の焦電センサユニットを構成するＣＰＵが行う監視処理を示すフローチャートである。
【図４】第２の実施の形態にかかるセキュリティシステムの構成図である。
【図５】図４のセキュリティシステムを構成するデジタルカメラの構成図である。
【図６】図５のデジタルカメラを構成するＣＰＵが行う監視処理を示すフローチャートである。
【図７】第３の実施の形態にかかるセキュリティシステムの構成図である。
【図８】図７のセキュリティシステムを構成するクレードルの構成図である。
【図９】図８のクレードルを構成するＣＰＵが行う監視処理を示すフローチャートである。
【図１０】デジタルカメラ又は携帯電話機の電源として用いられる燃料電池の構成図である。
【図１１】図１０の燃料電池を構成する発電部の構成図である。
【符号の説明】
【０１２０】
１・・・デジタルカメラ、２・・・携帯電話機、３・・・焦電センサユニット、３ａ・・・ＡＣアダプタ、４・・・クレードル、４ａ・・・ＡＣアダプタ、１０・・・バス、１１・・・電源回路、１２・・・デジカメＩ／Ｆ、１３・・・携帯電話Ｉ／Ｆ、１４・・・焦電センサ、１５・・・ドライバ、１６・・・ＡＭＰ処理回路、１７・・・ＲＡＭ、１８・・・ＲＯＭ、１９・・・ＣＰＵ、２０・・・バス、２１・・・電源回路、２２・・・携帯電話Ｉ／Ｆ、２３・・・焦電センサ、２４・・・ドライバ、２５・・・ＡＭＰ処理回路、２６・・・光学系ユニット、２７・・・撮像系ユニット、２８・・・Ｆ−ＲＯＭ、２９・・・信号処理ＬＳＩ、３０・・・ＲＡＭ、３１・・・ＲＯＭ、３２・・・ＣＰＵ、４０・・・バス、４１・・・電源回路、４２・・・携帯電話Ｉ／Ｆ、４３・・・焦電センサ、４４・・・ドライバ、４５・・・ＡＭＰ処理回路、４６・・・ＲＡＭ、４７・・・ＲＯＭ、４８・・・ＣＰＵ、５１・・・燃料貯蔵部、５２・・・気化部、５３・・・燃焼部、５４・・・改質部、５５・・・ＣＯ除去部、５６・・・発電部、６１・・・カソード、６２・・・イオン導電膜、６３・・・アノード
【図１】
2005109884.tif 000003
【図２】
2005109884.tif 000004
【図３】
2005109884.tif 000005
【図４】
2005109884.tif 000006
【図５】
2005109884.tif 000007
【図６】
2005109884.tif 000008
【図７】
2005109884.tif 000009
【図８】
2005109884.tif 000010
【図９】
2005109884.tif 000011
【図１０】
2005109884.tif 000012
【図１１】
2005109884.tif 000013